【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
画像データをファイル形式で画像ファイルとして記録媒体に記録する記録手段と、
前記記録媒体に記録されている前記画像ファイルの画像データに係る画像を表示する表示手段と、
接続されたデバイスと通信する通信手段と、
前記通信手段が、前記デバイスから送信先情報を含む画像ファイルの送信要求を受信したとき、前記送信先情報に基づき、前記表示手段にて表示中の画像データを含む前記画像ファイルを前記通信手段により前記デバイスに送信するように前記通信手段を制御する送信制御手段と、を備えることを特徴とする画像送信装置。
【請求項２】
前記送信要求を受け付けるか否かを設定するスイッチ手段を更に備え、
前記送信制御手段は、前記スイッチ手段が前記送信要求の受付不可に設定された場合には、前記送信要求に応じた前記画像ファイルの送信を不可とすることを特徴とする請求項１に記載の画像送信装置。
【請求項３】
予め１つ以上の前記デバイスに関する情報を記憶する送信候補デバイス記憶手段を更に備え、
前記送信制御手段は、前記送信先情報が前記送信候補デバイス記憶手段に記憶された情報と一致しない場合には、前記デバイスに対する画像ファイルの送信を不可とすることを特徴とする請求項１に記載の画像送信装置。
【請求項４】
前記送信制御手段は、前記送信先情報が前記送信候補デバイス記憶手段に記憶された情報と一致しない場合には、前記画像ファイルの送信拒否を示す情報を前記デバイスに送信することを特徴とする請求項３に記載の画像送信装置。
【請求項５】
前記送信先情報は、送信すべき画像ファイルのファイル形式に関する情報を含み、
前記送信制御手段は、前記送信先情報に指定された前記ファイル形式に一致するファイル形式の画像ファイルのみを前記デバイスに送信することを特徴とする請求項１に記載の画像送信装置。
【請求項６】
画像送信装置と接続される画像受信装置であって、
前記画像送信装置は、
画像データをファイル形式で画像ファイルとして記録媒体に記録する記録手段と、
前記記録媒体に記録されている前記画像ファイルの画像データに係る画像を表示する表示手段と、
接続されたデバイスと通信する第１の通信手段と、
前記第１の通信手段が、前記第１の通信手段と通信する前記画像受信装置から送信先情報を含む画像ファイルの送信要求を受信したとき、前記送信先情報に基づいて、前記表示手段にて表示中の画像データを含む前記画像ファイルを前記第１の通信手段により前記画像受信装置に送信するように前記第１の通信手段を制御する送信制御手段と、を備え、
前記画像受信装置は、
前記画像送信装置の前記第１の通信手段との間で通信を行う第２の通信手段と、を備え、
前記第２の通信手段は、前記画像送信装置に対して前記送信先情報を含む画像ファイルの送信要求を送信し、
前記送信要求に応じて前記画像送信装置から送信された画像ファイルを前記第２の通信手段で受信するように前記第２の通信手段を制御する受信制御手段と、をさらに備えることを特徴とする画像受信装置。
【請求項７】
画像送信装置と、画像受信装置とを含む画像通信システムであって、
前記画像送信装置は、
画像データをファイル形式で画像ファイルとして記録媒体に記録する記録手段と、
前記記録媒体に記録されている前記画像ファイルの画像データに係る画像を表示する表示手段と、
前記画像受信装置と通信する第１の通信手段と、
前記第１の通信手段が、前記画像受信装置から、送信先情報を含む画像ファイルの送信要求を受信したとき、前記送信先情報に基づいて、前記表示手段にて表示中の画像データを含む前記画像ファイルを前記第１の通信手段により前記画像受信装置に送信するように制御する送信制御手段と、を備え、
前記画像受信装置は、前記画像送信装置の前記第１の通信手段との間で通信を行う第２の通信手段と、を備え、
前記第２の通信手段は、前記画像送信装置に対して前記送信先情報を含む画像ファイルの送信要求を送信し、
前記送信要求に応じて前記画像送信装置から送信された画像ファイルを前記第２の通信手段で受信するように制御する受信制御手段と、をさらに備えることを特徴とする画像通信システム。
【請求項８】
画像データをファイル形式で画像ファイルとして記録媒体に記録する記録手段と、
前記記録媒体に記録されている前記画像ファイルの画像データに係る画像を表示する表示手段と、を備える画像送信装置の画像送信方法であって、
接続されたデバイスと通信する通信工程と、
前記通信工程で、前記デバイスから送信先情報を含む画像ファイルの送信要求を受信したとき、前記送信先情報に基づき前記表示手段で表示中の画像データを含む前記画像ファイルを前記通信工程で前記デバイスに送信するように制御する送信制御工程と、を備えることを特徴とする画像送信方法。
【請求項９】
画像送信装置と接続される画像受信装置の画像受信方法であって、
前記画像送信装置は、
画像データをファイル形式で画像ファイルとして記録媒体に記録する記録手段と、
前記記録媒体に記録されている前記画像ファイルの画像データに係る画像を表示する表示手段と、
接続されたデバイスと通信する第１の通信手段と、
前記第１の通信手段が、前記第１の通信手段と通信する前記画像受信装置から送信先情報を含む画像ファイルの送信要求を受信したとき、前記送信先情報に基づいて、前記表示手段にて表示中の画像データを含む前記画像ファイルを前記第１の通信手段により前記画像受信装置に送信するように制御する送信制御手段と、を備え、
前記画像受信方法は、
前記画像送信装置の前記第１の通信手段との間で通信を行う通信工程と、を備え、
前記通信工程は、前記画像送信装置に対し、前記送信先情報を含む画像ファイルの送信要求を送信し、
前記送信要求に応じて前記画像送信装置から送信された画像ファイルを前記通信工程で受信するように制御する受信制御工程と、をさらに備えることを特徴とする画像受信方法。
【手続補正２】
【補正対象書類名】明細書
【補正対象項目名】発明の名称
【補正方法】変更
【補正の内容】
【発明の名称】画像送信装置、画像受信装置、画像送信方法、画像受信方法、および画像通信システム
【手続補正３】
【補正対象書類名】明細書
【補正対象項目名】０００１
【補正方法】変更
【補正の内容】
【０００１】
本発明は、画像送信装置、画像受信装置、画像送信方法、画像受信方法、および画像通信システムに関し、より詳細には、画像データをファイル形式で記録する記録手段と、所定のプロトコルに従って他のデバイスと通信する通信手段と、を備えた装置間での通信に関するものである。
【手続補正４】
【補正対象書類名】明細書
【補正対象項目名】０００９
【補正方法】変更
【補正の内容】
【０００９】
上記目的を達成する本発明の一態様としての画像送信装置は、画像データをファイル形式で画像ファイルとして記録媒体に記録する記録手段と、
前記記録媒体に記録されている前記画像ファイルの画像データに係る画像を表示する表示手段と、
接続されたデバイスと通信する通信手段と、
前記通信手段が、前記デバイスから送信先情報を含む画像ファイルの送信要求を受信したとき、前記送信先情報に基づき、前記表示手段にて表示中の画像データを含む前記画像ファイルを前記通信手段により前記デバイスに送信するように前記通信手段を制御する送信制御手段と、を備えている。
【手続補正５】
【補正対象書類名】明細書
【補正対象項目名】００１０
【補正方法】変更
【補正の内容】
【００１０】
上記目的を達成する本発明の一態様としての画像受信装置は、画像送信装置と接続される画像受信装置であって、
前記画像送信装置は、
画像データをファイル形式で画像ファイルとして記録媒体に記録する記録手段と、
前記記録媒体に記録されている前記画像ファイルの画像データに係る画像を表示する表示手段と、
接続されたデバイスと通信する第１の通信手段と、
前記第１の通信手段が、前記第１の通信手段と通信する前記画像受信装置から送信先情報を含む画像ファイルの送信要求を受信したとき、前記送信先情報に基づいて、前記表示手段にて表示中の画像データを含む前記画像ファイルを前記第１の通信手段により前記画像受信装置に送信するように前記第１の通信手段を制御する送信制御手段と、を備え、
前記画像受信装置は、
前記画像送信装置の前記第１の通信手段との間で通信を行う第２の通信手段と、を備え、
前記第２の通信手段は、前記画像送信装置に対して前記送信先情報を含む画像ファイルの送信要求を送信し、
前記送信要求に応じて前記画像送信装置から送信された画像ファイルを前記第２の通信手段で受信するように前記第２の通信手段を制御する受信制御手段と、をさらに備えている。